(57)【要約】      （修正有）【課題】液晶型テレビジョン受像機の表示画面の広い面積の中央部分は勿論、そのコーナ部などの局所をも、拭き残しなくきれいに清掃することのできる清掃用クロスを提供する。【解決手段】クッション材が内蔵されて全体が偏平なマット状に形成されているクロス本体部１０と、クロス本体部１０に設けられて作業者の手の指と手のひらとが差し込まれる手差し袋部２０と、クロス本体部１０に設けられて、作業者の手の指先を差し込むことのできる指先差し袋部３０とを有する。指先差し袋部３０を、クロス本体部１０のコーナ部に縫着した三角形の布片３１とクロス本体部１０の表素材１２とによって形成する。【選択図】図１
0003162671.tif 000002
【実用新案登録請求の範囲】
【請求項１】
清掃面を有する裏素材とその裏素材につながる表素材との間にクッション材が内蔵されて全体が偏平なマット状に形成されているクロス本体部と、このクロス本体部の表側に設けられて作業者の手の指と手のひらとが差し込まれる手差し袋部と、を有する清掃用クロスであって、
上記クロス本体部の表側に、作業者の手の指先を差し込むことができ、かつ、作業者の手のひらを差し込むことのできない指先差し袋部が設けられていることを特徴とする清掃用クロス。
【請求項２】
上記指先差し袋部が、上記手差し袋部の外側で、正面視矩形状に形成されている上記クロス本体部の表側のコーナ部に設けられている請求項１に記載した清掃用クロス。
【請求項３】
上記指先差し袋部が、前記クロス本体部のコーナ部に縫着された三角形の布片と上記表素材とによって形成されている請求項２に記載した清掃用クロス。
【考案の詳細な説明】
【技術分野】
【０００１】
本考案は、清掃用クロス、特に、広い面積の部分を作業性よく拭いて効率よく清掃することができることに加え、テレビジョン受像機の画面のコーナ部や辺部のように段差を有する局所をも拭き残しなくきれいに清掃することのできる対策を講じた清掃用具に関する。
【背景技術】
【０００２】
作業者が手の指と手のひらとを差し込んで払拭清掃を行うようになっている手袋状クロスが従来より知られている（たとえば、特許文献１参照）。
【０００３】
また、従来例として、スポンジなどのクッション材を内蔵していて、全体が偏平なマット状に形成されているクロス本体部の表側に手差し袋部を具備させてなる清掃用クロスが知られている。
【０００４】
上記の従来例では、マット状のクロス本体部の裏面の清掃面がマイクロファイバークロスの表面によって形成されている。また、クロス本体部に内蔵されているクッション材は、作業者が手差し袋部に手の指及び手のひらの両方を差し込んでパネル表面などの相手面を拭くときに、作業者の手のひらや指全体の力をクロス本体部の清掃面の全体に分散させることに役立つ。そのため、従来例の清掃用クロスは、液晶型テレビジョン受像機の表示画面のように柔軟でデリケートなパネル表面を拭くときでも、そのパネル表面に余計な力が加わりにくく、上記のようなパネル表面を拭くことに使用する上で有益な清掃用具であるとされていた（第１従来例）。
【０００５】
他の従来例としては、布状のマイクロファイバークロスそのものを用いた清掃用クロスが知られていた（第２従来例）。
【先行技術文献】
【特許文献】
【０００６】
【特許文献１】特開２００３−１１６７６３号公報
【考案の概要】
【考案が解決しようとする課題】
【０００７】
しかしながら、第１従来例の清掃用クロスには次のような問題点があった。すなわち、クロス本体部が、作業者の手のひらや指の力を清掃面の全体に分散させる機能を発揮するクッション材を内蔵しているため、たとえば液晶型テレビジョン受像機の表示画面のコーナ部のように、縁枠との間に段差を有する部分を拭きたいときには、作業者が手差し袋部に手のひらと手の指とを差し入れてその部分を拭いても、作業者の手の力がその段差を有するコーナ部に局部的には加わりにくく、その結果、コーナ部に拭き残しが発生しやすいというデメリットが存在し、このデメリットが問題点として挙げられていた。
【０００８】
また、第２従来例の清掃用クロスは、布状のマイクロファイバークロスそのものによって作られているので、パネル表面上で自由に動かしてそのパネル表面を拭くことができ、しかも、手の指先の力でパネル表面の局所を強く押し付けて拭くことも容易であるので、上記の第１従来例についてのデメリットはそれほど感じられなかった。しかしながら、清掃作業中に局所的に力が加わるので、パネル表面の広い中央部分を拭いたときに拭きむらが生じやすかったり、パネル表面が傷付きやすかったりするおそれがあるため、液晶型テレビジョン受像機の表示画面のようにデリケートなパネル表面の清掃には不向きであるという問題があった。
【０００９】
本考案は、以上の問題点を改善するためになされたものであり、クッション材を内蔵しているマット状のクロス本体部に、作業者が手の指先で力を局部的に加えやすい箇所を具備させることによって、たとえば液晶型テレビジョン受像機の表示画面の広い面積の中央部分を拭きむらや傷付きを生じることなく清掃することができることは勿論、そのコーナ部などの局所をも、拭き残しなくきれいに清掃することのできる清掃用クロスを提供することを目的とする。
【課題を解決するための手段】
【００１０】
本考案に係る清掃用クロスは、清掃面を有する裏素材とその裏素材につながる表素材との間にクッション材が内蔵されて全体が偏平なマット状に形成されているクロス本体部と、このクロス本体部の表側に設けられて作業者の手の指と手のひらとが差し込まれる手差し袋部と、を有している。そして、上記クロス本体部の表側に、作業者の手の指先を差し込むことができ、かつ、作業者が手のひらを差し込むことのできない指先差し袋部が設けられている。
【００１１】
このように構成された清掃用クロスを使用して、たとえば液晶型テレビジョン受像機の表示画面でなるパネル表面の広い面積の中央部分を拭くときには、作業者が手差し袋部に手のひらと手の指とを差し込んで当該クロスの清掃面でパネル表面を拭くようにする。こうすると、作業者の手のひらや指の力がクッション材により清掃面の全体に分散される。そのため、パネル表面に余計な力が加えられることなく、パネル表面の中央部分を、拭きむらや傷付きを生じることなくきれいに拭き上げることが可能になる。この作用は主にクッション材の荷重分散作用が生かされることによって発揮される。
【００１２】
その一方で、パネル表面のコーナ部や辺部のような縁枠との間に段差の存在する局所を拭くときには、作業者が手の指先を指先差し袋に差し込み、指先に力を入れてコーナ部や辺部を拭くようにする。このようにすると、クッション材が段差に沿って曲がって荷重分散作用を発揮しなくなる。そのため、クロス本体部にクッション材が内蔵されているにもかかわらず、コーナ部や辺部をきれいに拭き上げることができて、それらの局所の拭き残しをなくすることが可能になる。
【００１３】
本考案では、上記指先差し袋部が、上記手差し袋部の外側で、正面視矩形状に形成されている上記クロス本体部の表側のコーナ部に設けられている、という構成を採用することが可能である。この構成であると、クロス本体部の清掃面のコーナ部で上記したコーナ部や辺部などの局所を拭き上げることが可能になる。したがって、クロス本体部の清掃面の中央部分で局所を拭くときよりも、その局所に清掃面が接触しやすくなり、それだけ局所の拭き残しをなくすることが容易になる。
【００１４】
本考案では、上記指先差し袋部が、前記クロス本体部のコーナ部に縫着された三角形の布片と上記表素材とによって形成されている、という構成を採用することが可能である。この構成であると、指先差し袋部をクロス本体部に容易に具備させることが可能である。  
【考案の効果】
【００１５】
以上のように、本考案に係る清掃用クロスによれば、クロス本体部に内蔵されているクッション材の荷重分散作用を生かしてパネル表面の広い中央部分を、拭きむらや傷付きを生じることなく効率よく拭き上げることができる。また、クロス本体部が荷重分散作用を発揮するクッション材を内蔵しているにもかかわらず、パネル表面のコーナ部や辺部といった縁枠との間に段差が形成されている局所を、作業者の指先の力で拭き残しなくきれいに拭き上げることができる。したがって、この清掃用クロスは、柔軟性を有してデリケートなパネル表面である液晶型テレビジョン受像機の表示画面のコーナ部や辺部を含む全体の清掃に特に好適に使用することができる。
【００１６】
なお、本考案に係る清掃用クロスは、上記液晶型テレビジョン受像機の表示画面だけでなく、自動車の窓ガラスや住居の窓ガラス、家具のパネル、その他のパネルの表面の全体を拭くときにも好適に使用することができることは勿論である。
【図面の簡単な説明】
【００１７】
【図１】本考案の実施形態に係る清掃用クロスの全体概略斜視図である。
【図２】同クロスの概略正面図である。
【図３】同クロスの要部を断面で示した説明図である。
【図４】使用状態説明図である。
【図５】他の使用状態説明図である。
【図６】さらに他の使用状態説明図である。
【考案を実施するための形態】
【００１８】
図１は本考案の実施形態に係る清掃用クロスＡの全体概略斜視図、図２は同クロスＡの概略正面図、図３は同クロスＡの要部を断面で示した説明図である。また、図４〜図６は使用状態説明図である。
【００１９】
図１及び図２に示した清掃用クロスＡの全体形状は、クロス本体部１０の形状に見合う形状になっている。そして、クロス本体部１０は正面視矩形に形成されている。図３に示したように、このクロス本体部１０は、裏素材１１とその裏素材につながる表素材１２との間に偏平矩形のスポンジでなるクッション材１３を内蔵させてなる。裏素材１１と表素材１２とは、１枚の布素材を袋状に縫い合わせて作ることができるほか、２枚の布素材を袋状に縫い合わせて作ることもできる。裏素材１１はその下側の外面の全体が略矩形の清掃面１５として形成されている。
【００２０】
上記清掃面１５は、パネル表面に付着した汚れや埃、水分などを捕獲する能力に優れた素材の表面によって形成されていることが望ましい。そこで、この実施形態では、裏素材１１にマイクロファイバークロスを使用している。また、表素材１２の材質は、裏素材１１と同一であっても異質であってもよいが、できるだけ手のひらが滑りにくくなる性質を発揮するものであることが望ましい。その意味で、この実施形態では、表素材１２にもマイクロファイバークロスを使用している。
【００２１】
クロス本体部１０は、大人の作業者がその手を拡げて当該クロス本体部１０の上に重ねたときに、その手が当該クロス本体部１０のほゞ全体を覆う程度のサイズにしてある。クロス本体部１０のサイズがその程度に定められていると、作業者がクロス本体部１０の裏側の清掃面１５の全体を使ってパネル表面を拭きやすくなるという利点がある。具体的なクロス本体部１０は、縦幅が２０ｃｍ程度、横幅が１５ｃｍ程度、厚さが１ｃｍ程度であることが望ましいけれども、これらの寸法は上記数値に限定されるものではない。
【００２２】
図１又は図３に示したように、クロス本体部１０には、その縦方向一端縁ａから縦方向他端縁ｂに近い箇所に至る領域で、その全横幅部分を覆う矩形の布片２１が縫着されている。具体的な縫着箇所は、布片２１の３つの辺部とクロス本体１０の縦方向一端縁ａ及び横方向両端縁ｃ，ｃを含む部分である。そして、布片２１の残りの辺部２２とクロス本体部１０の表素材１２との間に形成されている隙間によって、手の指及び手のひらを抜き差し可能な差込み口２３が形成されている。したがって、この布片２１とクロス本体部１０の表素材１２とによって、クロス本体部１０の表側に設けられて作業者の手の指と手のひらとを差し込むことのできる手差し袋部２０が形成されている。
【００２３】
この実施形態では、手差し袋部２０の横幅方向中央部で布片２１と表素材１２とを一定長さに亘って縫着（縫着箇所を符号２５で示してある）することによって、その手差し袋部２０を横幅方向で２つの区画に分けてある。この構成を採用しておくと、手差し袋部２０の内部で５本の指を各区画に分けて差し込むだけで、指が縫着箇所２５に引っ掛かるようになり、その結果、クロス本体部１０に対して指が滑りにくくなるという利点がある。この手差し袋部２０を形成するために使用されている布片２１には、織布やネットのほか、樹脂シートなどを使用することが可能である。
【００２４】
さらに、クロス本体部１０の表側には、上記した手差し袋部２０に加えて、指先差し袋部３０が設けられている。図例の清掃用クロスＡでは、この指先差し袋部３０が、上記手差し袋部２０の外側で、クロス本体部１０の表側の１つのコーナ部に設けられている。指先差し袋部３０は、クロス本体部１０のコーナ部に縫着された三角形の布片３１とクロス本体部１０の表素材１２とによって形成されていて、両者の縫着箇所は、布片３１の２辺とそれに重ね合わされた表素材１２の２辺である。指先差し袋部３０を形成するために使用されている布片３１には、織布やネットのほか、樹脂シートなどを使用することが可能である。
【００２５】
指先差し袋部３０は、作業者の手の指先を差し込むことができ、かつ、作業者の手のひらを差し込むことのできないサイズであることが望ましい。そのようにサイズを特定しておくと、指先差し袋部３０の利用用途が限定されるので、その指先差し袋部３０を利用するときの清掃作業を限定することが可能になる。すなわち、指先差し袋部３０を利用することによって良好に行われる清掃作業は、パネル表面のコーナ部や辺部の清掃作業であり、パネル表面の広い中央部分の清掃作業を指先差し袋部３０を利用して行うと、指先の力がパネル表面の局所に加わりやすいために拭きむらや傷付きが生じやすくなる。したがって、指先差し袋部３０を利用してパネル表面の広い中央部分の清掃作業が行われることを回避することを意図して、指先差し袋部３０を上記サイズに定めてある。
【００２６】
実施形態では、指先差し袋部３０のサイズを上記のように定めるために、三角形の布片３１と表素材１２とを、指の太さに見合う寸法の間隔を隔てた２箇所で縫着することにより、その指先差し袋部３０を上記サイズに合わせてある。図１及び図２には２箇所の縫着箇所を符号３２，３３で示してある。また、符号３４は指先差し袋部３０の差込み口である。また、図１のように、この実施形態の清掃用クロスＡは、１つのコーナ部に吊り紐５０が縫着されている。この吊り紐５０は、清掃用クロスＡを使用しないときに吊り下げて保管することに役立つ。
【００２７】
以上のように構成されている清掃用クロスＡの使用状態を図４〜図６を参照して次に説明する。
【００２８】
図４には、上記の手差し袋部２０を利用して液晶型テレビジョン受像機の表示画面でなるパネル表面１００を清掃するときの使用状態が示されている。同図によって判るように、この清掃作業では、作業者が手Ｈのひらと手Ｈの指とを手差し袋部２０に差し込み、その中で手Ｈを開いてクロス本体部１０の清掃面１５（図３参照）の略全体をパネル表面１００の広い中央部分に重ね合わせ、その状態で手Ｈを任意の方向に動かしてパネル表面１００を拭き上げることが行われる。
【００２９】
この使用状態では、作業者の手Ｈのひらや指の力が、クロス本体部１０に内蔵されているクッション材１３（図３参照）の荷重分散作用により、清掃面１５（図３参照）の全体又は略全体に分散される。そのため、清掃面１５の全体又は略全体がパネル表面１００にほゞ一様な力で接触するようになり、デリケートなパネル表面１００の局所に大きな余計な力の加わることが抑制され、パネル表面１００の中央部分をきれいに拭き上げることができる。
【００３０】
図５には、上記の指先差し袋部３０を利用して縁枠１１０とパネル表面１００の辺部との間の段差部分を清掃するときの使用状態が示されている。同図によって判るように、この清掃作業では、作業者が手Ｈの指先を指先差し袋部３０に差し込んだ状態で、その指先に力を入れて辺部を拭くことが行われる。このようにすると、クロス本体部１０に内蔵されているクッション材１３（図３参照）が段差部分に沿って曲がって荷重分散作用を発揮しなくなるので、クロス本体部１０にクッション材１３が内蔵されているにもかかわらず、パネル表面１００の辺部をきれいに拭き上げることができて、それらの局所の拭き残しをなくすることが可能になる。
【００３１】
図６には、上記の指先差し袋部３０を利用して縁枠１１０とパネル表面１００のコーナ部との間の段差部分を清掃するときの使用状態が示されている。同図によって判るように、この清掃作業では、図５を参照して説明した場合と同様に、作業者が手Ｈの指先を指先差し袋部３０に差し込んだ状態で、その指先に力を入れてコーナ部を拭くことが行われる。このようにすると、上記同様に、クロス本体部１０に内蔵されているクッション材１３（図３参照）がパネル表面１００のコーナ部の段差部分に沿って曲がって荷重分散作用を発揮しなくなるので、クロス本体部１０にクッション材１３が内蔵されているにもかかわらず、パネル表面１００の辺部をきれいに拭き上げることができて、それらの局所の拭き残しをなくすることが可能になる。
【００３２】
図５及び図６を参照して説明した清掃作業では、図示のように、清掃用クロスＡの指先差し袋部３０を除く部分を手のひらでつかんで作業のじゃまにならないようにしておくことができる。
【００３３】
以上説明した実施形態の清掃用クロスＡでは、指先差し袋部３０を、手差し袋部２０の外側でクロス本体部１０の１箇所のコーナ部に設けたものを説明したけれども、この点は、指先差し袋部３０を手差し袋部２０の内側に設けることも、指先差し袋部３０をクロス本体部１０の２箇所のコーナ部に設けることも可能であり、さらには、指先差し袋部３０をクロス本体部１０のコーナ部以外の箇所に設けることも可能である。
【符号の説明】
【００３４】
Ａ  清掃用クロス
１０  クロス本体部
１１  裏素材
１２  表素材
１３  クッション材
１５  清掃面
２０  手差し袋部
３０  指先差し袋部
３１  三角形の布片
【図１】
0003162671.tif 000003
【図２】
0003162671.tif 000004
【図３】
0003162671.tif 000005
【図４】
0003162671.tif 000006
【図５】
0003162671.tif 000007
【図６】
0003162671.tif 000008